(57)【要約】【課題】その工具に関連する情報を認識し易くすることができる工具及び砥粒層チップを提供する。【解決手段】ラップ定盤１は、砥粒層チップ７を備える工具であって、砥粒層チップ７は、所定の標章の形状をなしている。そして、当該ラップ定盤１に関連する情報である工具情報が、上記標章によって示される。従って、このラップ定盤１の使用者は砥粒層チップ７の形状を見て、視覚的に当該ラップ定盤１に関連する情報を認識することができる。【選択図】図１
2009241196.tif 000002
【特許請求の範囲】
【請求項１】
砥粒層を備える工具であって、
前記砥粒層は所定の標章の形状をなし、
自身に関連する情報である工具関連情報が、前記標章によって示されることを特徴とする工具。
【請求項２】
工具本体をなす台金と、当該台金上に配列され取り付けられた複数の砥粒層チップとを備え、
各々の前記砥粒層チップは、前記工具関連情報を示す前記標章の形状をなすことを特徴とする請求項１に記載の工具。
【請求項３】
前記砥粒層チップは、文字の形状をなすことを特徴とする請求項２に記載の工具。
【請求項４】
前記砥粒層チップは、漢字の形状をなすことを特徴とする請求項３に記載の工具。
【請求項５】
各々独立して一文字の形状をなす複数種類の前記砥粒層チップを備え、
前記工具関連情報は、前記複数種類の砥粒層チップの配列によって文字列として示されることを特徴とする請求項２〜４の何れか１項に記載の工具。
【請求項６】
工具に取り付けられる砥粒層チップであって、
所定の標章の形状をなし、
前記工具に関連する情報である工具関連情報が、前記標章によって示されることを特徴とする砥粒層チップ。
【請求項７】
文字の形状をなすことを特徴とする請求項６に記載の砥粒層チップ。
【請求項８】
漢字の形状をなすことを特徴とする請求項７に記載の砥粒層チップ。
【発明の詳細な説明】
【技術分野】
【０００１】
本発明は、砥粒層を備える工具及び砥粒層チップに関するものである。
【背景技術】
【０００２】
従来から、このような砥粒層を備える工具は、例えば、要求される使用状態に対応して台金や砥粒層が製作され、多くの種類が存在している。この工具を、工具使用者が区別できるように、下記特許文献１のように、工具に識別票を取り付ける場合がある。また、他の方法としては、工具の識別のための情報を、刻印として台金に施す場合もある。
【特許文献１】特開２００２−７９３２６号公報
【発明の開示】
【発明が解決しようとする課題】
【０００３】
しかしながら、この種の工具は、外観上は見分け難いことが多いので、工具使用者が、誤った工具を選択して機械に装着してしまったり、工具の使用方法を誤ったりする可能性もあり得る。また、使用期間が長くなるにつれて工具に汚れが付着すると、刻印が見え難くなり当該工具に関連する情報が読みにくくなる場合もあり、上記のような作業ミスが発生し易い。このような、工具においては、工具使用者が一見して工具に関連する情報を認識できることが望まれる。
【０００４】
そこで、本発明は、その工具に関連する情報を認識し易くすることができる工具及び砥粒層チップを提供することを目的とする。
【課題を解決するための手段】
【０００５】
本発明の工具は、砥粒層を備える工具であって、砥粒層は所定の標章の形状をなし、自身に関連する情報である工具関連情報が、標章によって示されることを特徴とする。
【０００６】
この工具によれば、砥粒層が標章の形状をなし、この標章が工具に関連する情報を示す。従って、工具の使用者は砥粒層の形状を見て、視覚的に当該工具に関連する情報を認識することができる。
【０００７】
また、具体的には、工具本体をなす台金と、当該台金上に配列され取り付けられた複数の砥粒層チップとを備え、各々の砥粒層チップは、工具関連情報を示す標章の形状をなすこととしてもよい。
【０００８】
また、上記砥粒層チップは、文字の形状をなすこととしてもよい。この場合、砥粒層の形状が示す文字標章によって、工具関連情報を直接的に表現することができる。
【０００９】
また、この場合、上記砥粒層チップは、漢字の形状をなすこととしてもよい。漢字は、一文字当たりに含有可能な情報量が大きいので、砥粒層の面積当たりの情報量を大きくすることができる。
【００１０】
また、本発明の工具は、各々独立して一文字の形状をなす複数種類の砥粒層チップを備え、工具関連情報は、複数種類の砥粒層チップの配列によって文字列として示されることとしてもよい。この構成によれば、複雑な工具関連情報を文字列によって確実に伝達することができる。
【００１１】
本発明の砥粒層チップは、工具に取り付けられる砥粒層チップであって、所定の標章の形状をなし、工具に関連する情報である工具関連情報が、標章によって示されることを特徴とする。
【００１２】
この砥粒層チップが取り付けられた工具によれば、砥粒層が標章の形状をなし、この標章が工具に関連する情報を示す。従って、この工具の使用者は砥粒層の形状を見て、視覚的に当該工具に関連する情報を認識することができる。
【００１３】
また、本発明の砥粒層チップは、文字の形状をなしてもよい。この場合、砥粒層の形状が示す文字標章によって、工具関連情報を直接的に表現することができる。
【００１４】
また、本発明の砥粒層チップは、漢字の形状をなしてもよい。漢字は、一文字当たりに含有可能な情報量が大きいので、砥粒層の面積当たりの情報量を大きくすることができる。
【発明の効果】
【００１５】
本発明によれば、その工具に関連する情報を認識し易くする工具及び砥粒層チップを提供することができる。
【発明を実施するための最良の形態】
【００１６】
以下、図面を参照しつつ本発明に係る工具及び砥粒層チップの好適な実施形態について詳細に説明する。
【００１７】
（第１実施形態）
図１に示すラップ定盤１は、ラップ盤（図示せず）に取り付けられ、ワークの平面研削加工に用いられる超砥粒研削工具である。ラップ定盤１は、円板形状の金属からなる台金３を備えている。そして、台金３の円環形状の上面には、所定の厚みをもつ同一形状の板状の砥粒層チップ７が、当該上面に敷き詰められるように多数接着されている。このラップ定盤１の上面は、上記砥粒層チップ７が敷き詰められることで、ワークを研削する研磨面１ａとして機能する。
【００１８】
図２に示す上記砥粒層チップ７は、ダイヤモンド砥粒と結合材とが混合され、所定の形状に成型され、焼成されて完成する。このような砥粒層チップ７は、成型用の金型を適宜設計することにより、所望の平面視形状のものを製作することができる。従って、砥粒層チップ７を、所望の情報を持たせた標章の平面視形状に形成することも可能である。「標章」とは、文字、図形、記号又はこれらの結合を含む。そして、砥粒層チップ７の形状が示す標章に、当該ラップ定盤１自身の工具情報（工具関連情報）を持たせれば、工具使用者が知るべきラップ定盤１の工具情報を、工具使用者に容易に伝達することが可能になる。例えば、工具の使用時に工具使用者が知るべき工具情報としては、当該工具の特性として、工具の仕様、工具の使用条件、工具ナンバー、或いは工具の製造メーカ名等が挙げられる。
【００１９】
上記の考察に基づいて、例えば、このラップ定盤１においては、砥粒層チップ７は、平面視において漢字の「旭」の文字の形状とされている。このラップ定盤１において、砥粒層チップ７の形状が示す「旭」の文字には、「旭ダイヤモンド工業株式会社製のラップ定盤」との情報を持たせることができる。従って、ラップ定盤１の研磨面１ａを見れば、工具使用者は、当該ラップ定盤１が、旭ダイヤモンド工業株式会社製であることを、一見して視覚的に認識することができる。
【００２０】
また、図３に示すラップ定盤２１においては、砥粒層チップ２７は、平面視において図４に示すような記号の形状とされている。このような記号には、予め約束事を定めておくことにより、所望の情報を持たせることができる。例えば、このラップ定盤２１において、図の砥粒層チップ２７の形状が示す記号には、「使用条件は、回転方向が研磨面側から見て時計回りである」との情報を持たせることができる。従って、この場合、ラップ定盤２１の研磨面２１ａを見れば、工具使用者は、当該ラップ定盤２１の使用条件として、回転方向が、研磨面２１ａ側から見て時計回り（図中の矢印Ａ方向）であることを、一見して視覚的に認識することができる。
【００２１】
また、工具使用者が知るべき使用条件の情報の他の例としては、例えば、「ドレッシングには、一般砥石であるＣＧを用いる。」といったようなドレッシングに関する情報、や、例えば「使用回転数は、１０００ｒｐｍである」といったような使用回転数に関する情報もある。このような種々の使用条件を示す記号を予め定めておき、砥粒層チップの形状を記号の形状とすることで、工具使用者に工具の使用条件を伝達することができる。
【００２２】
なお、このラップ定盤２１において、前述のラップ定盤１と同様又は同等の構成には同一符号を付し、重複する説明を省略する。
【００２３】
このように、砥粒層チップ７，２７の平面視形状を、工具情報を持たせた標章の形状とすることで、ラップ定盤１，２１の使用者は、当該ラップ定盤１，２１に関する工具情報を容易に得ることができる。その結果、工具使用者におけるラップ定盤の取り違えの可能性が低減され、作業ミス発生の可能性を低減することができる。
【００２４】
また、この種のラップ定盤では、図１に示すように、台金３の円周側面３ａに工具情報の刻印９が施される場合もある。このような刻印を施す形態の場合、使用中に発生する切り屑等により円周側面３ａが汚され、刻印９が読みにくくなるという問題がある。また、ラップ定盤が取り付けられる機械によっては、円周側面３ａが見えにくい場所に位置する場合もあり、工具情報を容易に得ることができない。更には、ラップ定盤の長期間の使用により、円周側面３ａの汚れが蓄積した場合にも、刻印９が読みにくくなる。これに対し、上記ラップ定盤１，２１では、特に使用中又は再使用において発生する上記のような問題を解決できる点で、刻印９が施される形態よりも優れている。
【００２５】
また、上記砥粒層チップの形状は、ラップ定盤２１のように、予め意味を持たせた図形又は記号の形状としてもよいが、ラップ定盤１のように、文字情報を用いることで、工具情報を直接的に表現することができる。この文字情報としては、漢字、平仮名、カタカナ、数字、アルファベット等を用いることができるが、漢字を用いることが特に好ましい。漢字は、一文字当たりに含有可能な情報量が大きいので、漢字を用いれば、研磨面１ａの面積当たりに伝達可能な情報量を大きくすることができる。
【００２６】
また、このようなラップ定盤１，２１では、研削機能を発揮する砥粒層チップ７，２７の上端のエッジ部７ａ，２７ａが、研磨面１ａ，２１ａ上に多く現れることになるので、研削性能を向上することができる。特に、ラップ定盤１のように、砥粒層チップ７の形状として漢字の形状を用いた場合には、上端のエッジ部７ａが研磨面１ａ上により複雑な形状で現れるので、研削性能をより向上させることも可能である。上端のエッジ部７ａを複雑な形状とする観点から、画数が３画以上の漢字、更に好ましくは４画以上の漢字を用いることが好ましい。
【００２７】
また、このラップ定盤１では、砥粒層チップ７の磨耗により情報を視覚的に認識できなくなった状態が、その工具寿命を示すものとして、工具の交換の目安とすることができる。 
【００２８】
（第２実施形態）
図５に示すように、ラップ定盤４１の台金３の上面には、３種類の砥粒層チップ４７ｐ，４７Ｑ，４７ｒが規則的に配列され接着されている。図６，図７，図８にそれぞれ示すように、砥粒層チップ４７ｐは、記号の「＃」の平面視形状をなし、砥粒層チップ４７ｑは、アラビア数字の「５」の平面視形状をなし、砥粒層チップ４７ｒは、アラビア数字の「０」の平面視形状をなす。
【００２９】
そして、このラップ定盤４１では、上記３種類の砥粒層チップ４７ｐ，４７Ｑ，４７ｒを合計４枚用いて、「＃５００」と読める文字列を表現している。この「＃５００」との文字列は、このラップ定盤４１の砥粒層の粒度が５００番であるとの工具情報を示している。なお、この場合、漢字の「番」の形状をなす砥粒層チップを用いて「５００番」との文字列を表現することもできる。このように、複数種類の砥粒層チップを用いて工具情報を文字列として表現する形態により、複雑な工具情報を確実に伝達することができる。また、砥粒層チップの各組合せにより情報を表現できるので、各砥粒層チップの汎用性を高めることができる。なお、このラップ定盤４１において、前述のラップ定盤１，２１と同様又は同等の構成には同一符号を付し、重複する説明を省略する。
【００３０】
（第３実施形態）
前述の第１及び第２実施形態では、標章の形状をなす砥粒層チップを、台金上面の全面に敷き詰めているが、本実施形態のラップ定盤６１では、図９に示すように、砥粒層チップ４７ｐ，４７ｑ，４７ｒを、台金３の上面の一部の領域にのみ配置している。そして、砥粒層チップ４７ｐ，４７ｑ，４７ｒが配置された領域以外の領域には、従来の形状（例えば、ここでは、平面視円形）の砥粒層チップ６８が配置されている。なお、このラップ定盤６１において、前述のラップ定盤１，２１，４１と同様又は同等の構成には同一符号を付し、重複する説明を省略する。
【図面の簡単な説明】
【００３１】
【図１】本発明に係る工具の一実施形態であるラップ定盤を示す斜視図である。
【図２】図１のラップ定盤の砥粒層チップを示す斜視図である。
【図３】本発明に係る工具の一実施形態である他のラップ定盤を示す斜視図である。
【図４】図３のラップ定盤の砥粒層チップを示す斜視図である。
【図５】本発明の工具の第２実施形態であるラップ定盤を示す斜視図である。
【図６】図５のラップ定盤の砥粒層チップを示す斜視図である。
【図７】図５のラップ定盤の他の砥粒層チップを示す斜視図である。
【図８】図５のラップ定盤の更に他の砥粒層チップを示す斜視図である。
【図９】本発明の工具の第３実施形態であるラップ定盤を示す斜視図である。
【符号の説明】
【００３２】
１，２１，４１，６１…ラップ定盤（工具）、３…台金、７，２７，４７ｐ，４７ｑ，４７ｒ…砥粒層チップ。
【図１】
2009241196.tif 000003
【図２】
2009241196.tif 000004
【図３】
2009241196.tif 000005
【図４】
2009241196.tif 000006
【図５】
2009241196.tif 000007
【図６】
2009241196.tif 000008
【図７】
2009241196.tif 000009
【図８】
2009241196.tif 000010
【図９】
2009241196.tif 000011